【手続補正書】
【提出日】平成16年2月19日(2004.2.19)
【手続補正１】
【補正対象書類名】特許請求の範囲
【補正対象項目名】全文
【補正方法】変更
【補正の内容】
【特許請求の範囲】
【請求項１】
少なくとも１番目のコークス炉と少なくとも２番目のコークス炉を含んで成っていて前記１番目および２番目のコークス炉の各々が室側壁と室屋根と室床で限定されているコークス化室を含んでおり、ここで、各コークス化室がコークス床の上に気体空間部を含んでいて、前記１番目のコークス炉のコークス床の下方に位置する室床が１番目の炉床煙道ガ
ス装置で加熱され、前記２番目のコークス炉の室床が２番目の炉床煙道ガス装置で加熱され、そして前記１番目のコークス炉と２番目のコークス炉の間に位置する室側壁の少なくとも１つが、煙道ガスを前記１番目のコークス化室の気体空間部から前記１番目の炉床煙道ガス装置に向かわせるための少なくとも１つの下降管を前記１番目のコークス化室の気体空間部と前記１番目の炉床煙道ガス装置の間に流動伝達状態で含有しているコークス炉一式であって、前記１番目のコークス化室の気体空間部からの煙道ガスの少なくとも一部を前記２番目のコークス炉に向けるための連結用気体導管を前記１番目のコークス化室の気体空間部と少なくとも前記２番目のコークス化室の気体空間部または少なくとも前記２番目のコークス炉の炉床煙道ガス装置の間に気体流動伝達状態で含有することにより、前記気体導管が存在しない時の１番目のコークス炉に関して前記１番目の炉床煙道ガス装置の中の煙道ガス流量が低下しているコークス炉一式。
【請求項２】
少なくとも１番目のコークス炉と２番目のコークス炉を含有していて前記１番目のコークス炉が１番目の炉床煙道ガス装置、１番目のコークス化室および前記１番目のコークス化室の中のコークス床の上に存在する１番目の気体空間部を有しそして前記２番目のコークス炉が２番目の炉床煙道ガス装置、２番目のコークス化室および前記２番目のコークス化室の中のコークス床の上に存在する２番目の気体空間部を有するコークス炉一式用の煙道ガス共用装置であって、前記１番目の気体空間部と少なくとも前記２番目の空間部または前記２番目の炉床煙道ガス装置の間に気体流動伝達状態の耐火性内張りダクトを含んで成り、それにより前記１番目の炉床煙道ガス装置の中の煙道ガス流量が前記耐火性内張りダクトが存在しない時の前記１番目の炉床煙道ガス装置の中の煙道ガス流量に比べて低下している煙道ガス共用装置。
【請求項３】
少なくとも１番目のコークス炉と２番目のコークス炉を含有していて前記１番目のコークス炉が１番目の炉床煙道ガス装置および１番目のコークス化室を有しそして前記２番目のコークス炉が２番目の炉床煙道ガス装置および２番目のコークス化室を有するコークス炉一式用の煙道ガス共用装置であって、前記１番目のコークス化室と前記２番目のコークス化室の間に気体流動伝達状態の耐火性内張りダクトを含んで成り、それにより前記１番目の炉床煙道ガス装置の中の煙道ガス流量が前記耐火性内張りダクトが存在しない時の前記１番目の炉床煙道ガス装置の中の煙道ガス流量に比べて低下している煙道ガス共用装置。
【請求項４】
少なくとも１番目のコークス炉と２番目のコークス炉を含有していて前記１番目のコークス炉が１番目の炉床煙道ガス装置および１番目のコークス化室を有しそして前記２番目のコークス炉が２番目の炉床煙道ガス装置および２番目のコークス化室を有するコークス炉一式用の煙道ガス共用装置であって、前記１番目の炉床煙道ガス装置と前記２番目の炉床煙道ガス装置の間に気体流動伝達状態の耐火性内張りダクトを含んで成り、それにより前記１番目の炉床煙道ガス装置の中の煙道ガス流量が前記耐火性内張りダクトが存在しない時の前記１番目の炉床煙道ガス装置の中の煙道ガス流量に比べて低下している煙道ガス共用装置。
【請求項５】
コークス化炉に石炭を仕込んだ後の少なくとも初期コークス化操作中にコークス炉用炉床煙道ガス装置の中の気体流量を低下させる方法であって、前記１番目の気体空間部の中に入っている気体の少なくとも一部を少なくとも前記２番目の気体空間部または前記２番目のコークス炉用の前記２番目の炉床煙道ガス装置に向けるためのダクト装置を１番目のコークス化室、コークス床の上に存在する１番目の気体空間部および１番目の炉床煙道ガス装置を有する１番目のコークス炉と２番目のコークス化室、２番目のコークス床の上に存在する２番目の気体空間部および２番目の炉床煙道ガス装置を有する２番目のコークス炉の間に与えることを含んでなり、それにより前記１番目のコークス炉の前記１番目の炉床煙道ガス装置の中の気体流量を低下させる方法。
【手続補正２】
【補正対象書類名】明細書
【補正対象項目名】００３７
【補正方法】変更
【補正の内容】
【００３７】
この上に記述した構成に関していろいろな修正を本発明の精神および範囲から逸脱することなく成され得ることは明らかであると考える。従って、本発明の好適な態様を具体的に開示してきたが、本発明をそれのみに限定することを意図するものでなく、むしろ、本分野の技術者に明らかになると思われかつ本発明の精神および範囲内に入るそれのあらゆる態様を包含させることを意図することは理解されるであろう。
本発明の好適な実施の態様は次のとおりである。
１．少なくとも１番目のコークス炉と少なくとも２番目のコークス炉を含んで成っていて前記１番目および２番目のコークス炉の各々が室側壁と室屋根と室床で限定されているコークス化室を含んでおり、ここで、各コークス化室がコークス床の上に気体空間部を含んでいて、前記１番目のコークス炉のコークス床の下方に位置する室床が１番目の炉床煙道ガス装置で加熱され、前記２番目のコークス炉の室床が２番目の炉床煙道ガス装置で加熱され、そして前記１番目のコークス炉と２番目のコークス炉の間に位置する室側壁の少なくとも１つが、煙道ガスを前記１番目のコークス化室の気体空間部から前記１番目の炉床煙道ガス装置に向かわせるための少なくとも１つの下降管を前記１番目のコークス化室の気体空間部と前記１番目の炉床煙道ガス装置の間に流動伝達状態で含有しているコークス炉一式であって、前記１番目のコークス化室の気体空間部からの煙道ガスの少なくとも一部を前記２番目のコークス炉に向けるための連結用気体導管を前記１番目のコークス化室の気体空間部と少なくとも前記２番目のコークス化室の気体空間部または少なくとも前記２番目のコークス炉の炉床煙道ガス装置の間に気体流動伝達状態で含有することにより、前記気体導管が存在しない時の１番目のコークス炉に関して前記１番目の炉床煙道ガス装置の中の煙道ガス流量が低下しているコークス炉一式。
２．前記１番目および２番目のコークス炉の各々が個々別々の１番目および２番目の炉床煙道ガスセクションを有する炉床煙道ガス装置および前記個々別々の炉のコークス化室から前記１番目および２番目の炉床煙道ガスセクションの各々に至る下降管を少なくとも１つ含有する上記１記載のコークス炉一式。
３．各下降管が前記コークス化室と流動伝達状態にある入り口および前記炉床煙道ガス装置と流動伝達状態にある出口を有する上記２記載のコークス炉一式。
４．各下降管が前記コークス化室と流動伝達状態にある入り口および前記炉床煙道ガス装置と流動伝達状態にある出口を有する上記１記載のコークス炉一式。
５．前記１番目のコークス炉と２番目のコークス炉の間に位置する室側壁が前記１番目のコークス炉と２番目のコークス炉により共有されている室側壁である上記１記載のコークス炉一式。
６．前記１番目のコークス炉と２番目のコークス炉の間に位置する室側壁が耐火性れんがを含有する耐火性室側壁である上記５記載のコークス炉一式。
７．前記気体導管が前記１番目のコークス化室と２番目のコークス化室または前記２番目の炉床煙道ガス装置の下降管の間の気体流動伝達を与える開口を前記室側壁の中に含んで成り、前記開口が前記室側壁から耐火性れんがを取り除くことにより得られた開口である上記６記載のコークス炉一式。
８．前記１番目のコークス炉と２番目のコークス炉の間に位置する室側壁が耐火性れんがを含有する耐火性室側壁である上記１記載のコークス炉一式。
９．前記気体導管が前記１番目のコークス化室と２番目のコークス化室または前記２番目の炉床煙道ガス装置の下降管の間の気体流動伝達を与える開口を前記室側壁の中に含んで成り、前記開口が前記室側壁から耐火性れんがを取り除くことにより得られた開口である上記８記載のコークス炉一式。
１０．気体導管が前記１番目の気体空間部と少なくとも前記２番目のコークス炉の気体空間部の間にクロスオーバーダクトを含んで成る上記１記載のコークス炉一式。
１１．前記気体導管が前記１番目のコークス炉の気体空間部と少なくとも前記２番目のコークス炉の気体空間部または前記２番目のコークス炉の下降管の間に連結用ダクトを含んで成る上記１記載のコークス炉一式。
１２．少なくとも１番目のコークス炉と２番目のコークス炉を含有していて前記１番目のコークス炉が１番目の炉床煙道ガス装置、１番目のコークス化室および前記１番目のコークス化室の中のコークス床の上に存在する１番目の気体空間部を有しそして前記２番目のコークス炉が２番目の炉床煙道ガス装置、２番目のコークス化室および前記２番目のコークス化室の中のコークス床の上に存在する２番目の気体空間部を有するコークス炉一式用の煙道ガス共用装置であって、前記１番目の気体空間部と少なくとも前記２番目の空間部または前記２番目の炉床煙道ガス装置の間に気体流動伝達状態の耐火性内張りダクトを含んで成り、それにより前記１番目の炉床煙道ガス装置の中の煙道ガス流量が前記耐火性内張りダクトが存在しない時の前記１番目の炉床煙道ガス装置の中の煙道ガス流量に比べて低下している煙道ガス共用装置。
１３．前記１番目および２番目のコークス炉の各々が個々別々の１番目および２番目の炉床煙道ガスセクションを有する炉床煙道ガス装置を含有しかつ前記コークス化室から前記１番目および２番目の炉床煙道ガスセクションの各々に至る下降管を少なくとも１つ含有する上記１２記載の煙道ガス共用装置。
１４．各下降管が前記コークス化室と流動伝達状態にある入り口および前記炉床煙道ガス装置と流動伝達状態にある出口を有する上記１３記載の煙道ガス共用装置。
１５．各コークス炉が前記コークス化室と流動伝達状態にある入り口および前記炉床煙道ガス装置と流動伝達状態にある出口を有する下降管を含有する上記１２記載の煙道ガス共用装置。
１６．少なくとも１番目のコークス炉と２番目のコークス炉を含有していて前記１番目のコークス炉が１番目の炉床煙道ガス装置および１番目のコークス化室を有しそして前記２番目のコークス炉が２番目の炉床煙道ガス装置および２番目のコークス化室を有するコークス炉一式用の煙道ガス共用装置であって、前記１番目のコークス化室と前記２番目のコークス化室の間に気体流動伝達状態の耐火性内張りダクトを含んで成り、それにより前記１番目の炉床煙道ガス装置の中の煙道ガス流量が前記耐火性内張りダクトが存在しない時の前記１番目の炉床煙道ガス装置の中の煙道ガス流量に比べて低下している煙道ガス共用装置。
１７．前記１番目および２番目のコークス炉の各々が個々別々の１番目および２番目の炉床煙道ガスセクションを有する炉床煙道ガス装置を含有しかつ前記コークス化室から前記１番目および２番目の炉床煙道ガスセクションの各々に至る下降管を少なくとも１つ含有する上記１６記載の煙道ガス共用装置。
１８．各下降管が前記コークス化室と流動伝達状態にある入り口および前記炉床煙道ガス装置と流動伝達状態にある出口を有する上記１７記載の煙道ガス共用装置。
１９．各コークス炉が前記コークス化室と流動伝達状態にある入り口および前記炉床煙道ガス装置と流動伝達状態にある出口を有する下降管を含有する上記１６記載の煙道ガス共用装置。
２０．少なくとも１番目のコークス炉と２番目のコークス炉を含有していて前記１番目のコークス炉が１番目の炉床煙道ガス装置および１番目のコークス化室を有しそして前記２番目のコークス炉が２番目の炉床煙道ガス装置および２番目のコークス化室を有するコークス炉一式用の煙道ガス共用装置であって、前記１番目の炉床煙道ガス装置と前記２番目の炉床煙道ガス装置の間に気体流動伝達状態の耐火性内張りダクトを含んで成り、それにより前記１番目の炉床煙道ガス装置の中の煙道ガス流量が前記耐火性内張りダクトが存在しない時の前記１番目の炉床煙道ガス装置の中の煙道ガス流量に比べて低下している煙道ガス共用装置。
２１．前記１番目および２番目のコークス炉の各々が個々別々の１番目および２番目の炉床煙道ガスセクションを有する炉床煙道ガス装置を含有しかつ前記コークス化室から前記１番目および２番目の炉床煙道ガスセクションの各々に至る下降管を少なくとも１つ含有する上記２０記載の煙道ガス共用装置。
２２．各下降管が前記コークス化室と流動伝達状態にある入り口および前記炉床煙道ガス装置と流動伝達状態にある出口を有する上記２１記載の煙道ガス共用装置。
２３．各コークス炉が前記コークス化室と流動伝達状態にある入り口および前記炉床煙道ガス装置と流動伝達状態にある出口を有する下降管を含有する上記２０記載の煙道ガス共用装置。
２４．コークス化炉に石炭を仕込んだ後の少なくとも初期コークス化操作中にコークス炉用炉床煙道ガス装置の中の気体流量を低下させる方法であって、前記１番目の気体空間部の中に入っている気体の少なくとも一部を少なくとも前記２番目の気体空間部または前記２番目のコークス炉用の前記２番目の炉床煙道ガス装置に向けるためのダクト装置を１番目のコークス化室、コークス床の上に存在する１番目の気体空間部および１番目の炉床煙道ガス装置を有する１番目のコークス炉と２番目のコークス化室、２番目のコークス床の上に存在する２番目の気体空間部および２番目の炉床煙道ガス装置を有する２番目のコークス炉の間に与えることを含んでなり、それにより前記１番目のコークス炉の前記１番目の炉床煙道ガス装置の中の気体流量を低下させる方法。
２５．ダクト装置が前記１番目の気体空間部と気体流動伝達状態にある入り口および前記１番目のコークス炉用の前記１番目の炉床煙道ガス装置と気体流動伝達状態にある出口を有する下降管を耐火性れんがで出来ていて前記１番目のコークス炉と２番目のコークス炉が共有する室側壁の中に含有しており、この方法が、更に、前記室側壁から１個以上の耐火性れんがを取り除くことにより気体流動伝達用の開口を前記１番目の気体空間部と前記２番目の気体空間部または前記２番目の炉床煙道ガス装置の間に与えることを含んで成る上記２４記載の方法。
２６．前記１番目の炉床煙道ガス装置と前記２番目の炉床煙道ガス装置の間を前記ダクト装置でつなげることにより、煙道ガスを前記１番目のコークス炉と２番目のコークス炉の間で共用させる上記２４記載の方法。
２７．前記１番目の気体空間部と前記２番目の炉床煙道ガス装置の間を前記ダクト装置でつなげることにより、煙道ガスを前記１番目のコークス炉と２番目のコークス炉の間で共用させる上記２４記載の方法。
２８．前記１番目の気体空間部と前記２番目の気体空間部の間を前記ダクト装置でつなげることにより、煙道ガスを前記１番目のコークス炉と２番目のコークス炉の間で共用させる上記２２記載の方法。